(57)【要約】【課題】書籍等を電子データ化した複数のファイルの管理を容易にする。【解決手段】管理対象である複数の書籍ファイル１０１〜１０９を編集作業画面Ｇ２に一覧表示する。ユーザーによっていずれかのファイルが処理対象として選択される毎に、ユーザーによる選択順（選択順オブジェクト３０１）を、そのファイルに対応する編集作業画面Ｇ２の特定位置に個別に表示する。ユーザーによって処理対象として選択された複数の書籍ファイル１０１，１０２，１０３，１０７を、ユーザーによる選択順に従い連結することにより新たな書籍ファイルを生成する。【選択図】図７
2017037449.tif 000002
【特許請求の範囲】
【請求項１】
管理対象である複数ファイルを表示画面に一覧表示する第１の表示制御手段と、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御手段と、
ユーザーによって処理対象として選択された複数のファイルを、各々のファイルにおける前記ユーザーによる選択順に従い連結することにより新たなファイルを生成する生成手段と、
を備えたことを特徴とするファイル管理装置。
【請求項２】
前記複数ファイルの各々は、複数ページからなる情報がページ毎に電子データ化されたファイルであることを特徴とする請求項１記載のファイル管理装置。
【請求項３】
前記表示画面に一覧表示中の複数ファイルの各々における、ユーザーによる前記処理対象としての選択の有無を、各ファイルの配置を維持したまま前記表示画面に表示する第３の表示制御手段を更に備えたことを特徴とする請求項１又は２に記載のファイル管理装置。
【請求項４】
前記第２の表示制御手段は、ユーザーによって前記表示画面に前記選択順を表示している選択中のいずれかのファイルに対する選択解除指示がある毎に、選択解除指示があったファイルの前記選択順の表示を中止し、かつ選択中の他のファイルに対応して表示中の前記選択順を更新することを特徴とする請求項１乃至３のいずれか１項に記載のファイル管理装置。
【請求項５】
前記第１の表示制御手段は、前記複数ファイルを各ファイルの内容を示す画像によって前記表示画面に一覧表示することを特徴とする請求項１乃至４のいずれか１項に記載のファイル管理装置。
【請求項６】
前記第２の表示制御手段は、前記選択順を前記画像に重ねて表示することを特徴とする請求項５記載のファイル管理装置。
【請求項７】
前記生成手段は、前記新たなファイルとして、新たに管理対象となるファイルを生成することを特徴とする請求項１乃至６のいずれか１項に記載のファイル管理装置。
【請求項８】
タッチパネルとしての機能を備えた前記表示画面を有する表示手段を更に備え、
前記ユーザーによる選択指示は前記表示画面において行われる
ことを特徴とする請求項１乃至７のいずれか１項に記載のファイル管理装置。
【請求項９】
管理対象である複数ファイルを表示画面に一覧表示する第１の表示制御ステップと、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御ステップと、
ユーザーによって処理対象として選択された複数のファイルを、各々のファイルにおける前記ユーザーによる選択順に従い連結することにより新たなファイルを生成する生成ステップと、
を含むことを特徴とするファイル管理方法。
【請求項１０】
ファイル管理装置が有するコンピュータを、
管理対象である複数ファイルを表示画面に一覧表示する第１の表示制御手段、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御手段、
ユーザーによって処理対象として選択された複数のファイルを、各々のファイルにおける前記ユーザーによる選択順に従い連結することにより新たなファイルを生成する生成手段、
として機能させるためのプログラム。
【発明の詳細な説明】
【技術分野】
【０００１】
本発明は、複数のファイルを管理する技術に関する。
【背景技術】
【０００２】
従来、書籍等（例えば本や雑誌）の重なっているページを自動ページめくり装置を用いて１枚ずつ分離してめくるとともに、各ページを撮影して電子データ化し、複数ページ分の電子データを書籍ファイルとして記録する書画カメラシステムが知られている。
【先行技術文献】
【特許文献】
【０００３】
【特許文献１】特開２０１４−１１７８９３号公報
【特許文献２】特開２０１５−６７５４号公報
【発明の概要】
【発明が解決しようとする課題】
【０００４】
しかしながら、書籍等を電子データ化してファイルとして記録する場合、記録したファイルが増えるに従いそれらの管理が煩雑になるという問題があった。
【０００５】
本発明は、上記の課題に鑑みてなされたものであり、書籍等を電子データ化した複数のファイルの管理を容易にすることを目的とする。
【課題を解決するための手段】
【０００６】
上記の目的を達成するため、本発明に係るファイル管理装置は、管理対象である複数ファイルを表示画面に一覧表示する第１の表示制御手段と、ユーザーによって前記複数ファイルのいずれかが処理対象として選択される毎に、選択されたファイルにおけるユーザーによる選択順を、そのファイルに対応する前記表示画面の特定位置に個別に表示する第２の表示制御手段と、ユーザーによって処理対象として選択された複数のファイルを、各々のファイルにおける前記ユーザーによる選択順に従い連結することにより新たなファイルを生成する生成手段と、を備えたことを特徴とする。
【発明の効果】
【０００７】
本発明によれば、書籍等を電子データ化した複数のファイルの管理が容易となる。
【図面の簡単な説明】
【０００８】
【図１】本発明の一実施の形態に係る書画カメラシステムの概略構成を示す斜視図である。
【図２】書画カメラシステムの電気的構成の要部を示すブロック図である。
【図３】本発明に係るタブレットの動作を説明するためのフローチャートである。
【図４】図３に続くフローチャートである。
【図５】ギャラリーモードでのメイン画面の一例を示す図である。
【図６】編集作業画面の初期状態の一例を示す図である。
【図７】作業途中における編集作業画面の一例を示す図である。
【図８】更新されたメイン画面の一例を示す図である。
【発明を実施するための形態】
【０００９】
以下、本発明の実施形態を、図面を参照して説明する。
【００１０】
図１は、本発明の一実施の形態に係る書画カメラシステム１の概略構成を示す斜視図である。この書画カメラシステム１は、本発明のファイル管理装置としての機能を備えたタブレット２と自動ページめくり装置３とから構成される。
【００１１】
自動ページめくり装置３は、開かれた書籍等Ｂを保持する保持台６と、保持台６上の書籍等ＢのページＰのめくり元位置でページＰを保持し、ページＰのめくり先位置でページＰに対する保持を解除するめくり機構３０と、めくり元位置にあるページＰの上方に風を通過させることでめくり先位置にあるページＰに対して風を当てる送風部５とを備えている。
【００１２】
タブレット２は、カメラ（後述する撮像部）を備えた携帯可能な情報処理端末であって、スタンド２０を用いて書籍等（例えば本や雑誌）Ｂの上方に設置されることにより、書籍等ＢのページＰのめくり元を撮影する。なお、タブレット２と自動ページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１３】
そして、書画カメラシステム１においては、書籍等（例えば本や雑誌）ＢのページＰを自動ページめくり装置３を用いて１枚ずつ分離してめくるとともに、タブレット２によって各ページを撮影して電子データ化し、複数ページ分の電子データを決められたフォーマットのファイル（以下、書籍ファイルという）として記録することができる。
【００１４】
図２は、タブレット２と自動ページめくり装置３との電気的構成の要部を示すブロック図である。まず、自動ページめくり装置３の電気的構成について説明する。
【００１５】
自動ページめくり装置３は、主として制御部３１と、記憶部３２と、操作部３３と、モータ駆動回路部３４と、通信部３５と、電源部３６とから構成される。記憶部３２には、各種プログラムが記録されたＲＯＭ（Read Only Memory）と、当該プログラムが展開されるＲＡＭ（Random Access memory）とが含まれる。
【００１６】
操作部３３には、ページめくり処理を開始させる開始スイッチと、ページめくり処理を停止させる停止スイッチ等が含まれる。モータ駆動回路部３４には、めくり機構３０を駆動するモータや、送風部５に設けられたファンを駆動するモータ、及びそれらのモータを駆動するモータドライバ等が含まれる。
【００１７】
制御部３１は、開始スイッチが操作されてから停止スイッチが操作されるまでモータ駆動回路部３４を制御することによりめくり機構３０を駆動し、書籍等ＢのページＰを１枚ずつ分離してめくる。通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３６は、上記した各ブロック３１〜３５に電力を供給する。
【００１８】
次に、タブレット２の電気的構成について説明する。タブレット２は、主として撮像部２１と、操作部２２と、表示部２３と、通信部２４と、制御部２５と、記憶部２６とから構成される。
【００１９】
撮像部２１は、書籍等Ｂ等のページ画像を撮影可能なカメラであり、レンズを含む光学系の他に、ＣＣＤ（Charge  Coupled  Device）やＣＭＯＳ（Complementary  Metal  Oxide  Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。
【００２０】
表示部２３は、ＬＣＤ（Liquid  Crystal  Display）や有機ＥＬ（Electro  Luminescence）等の表示モニタを有し、表示モニタの画面上に撮像部２１により撮像されたページ画像や各種情報等を表示する。
【００２１】
操作部２２は、図示しない電源キー等の最小限の操作スイッチと、表示部２３が有する表示モニタの表面に一体的に設けられたタッチパネルを含み、ユーザーによるタブレット２の操作情報を制御部２５へ供給する。
【００２２】
通信部２４は、自動ページめくり装置３との通信インタフェースを司り、Ｂｌｕｅｔｏｏｔｈ（登録商標）やＷｉ−Ｆｉ（登録商標）等の通信方式によって自動ページめくり装置３との接続を行う。
【００２３】
制御部２５は、ＣＰＵ（Central Processing Unit）、及びその周辺回路等や、ＲＡＭ（Random Access memory）等を含み、タブレット２の各部を制御する。
【００２４】
記憶部２６には、例えば、半導体メモリが実装され、各種のアプリケーションプログラム、制御部２５がプログラム実行の過程で生成する各種データ等が保存されている。上記アプリケーションプログラムには、自動ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００２５】
以下、タブレット２の動作について説明する。図３及び図４は、タブレット２において、上述の書籍管理プログラムが起動された後、所定の操作によってギャラリーモードが選択されたときの制御部２５の処理内容を説明するためのフローチャートである。
【００２６】
ギャラリーモードは、記憶部２６に保存されている書籍ファイルの閲覧や編集を可能とする動作モードであり、制御部２５は、まず、表示部２３の表示画面に図５に示したメイン画面Ｇ１を表示する（ステップＳ１）。
【００２７】
このメイン画面Ｇ１は、上縁に沿って固定して確保される機能表示領域Ｇａと、それを除く一般領域Ｇｂとから構成され、機能表示領域Ｇａには、現在の動作状態を反転表示により示す状態キャプションｃ１，ｃ２と、編集を指示する編集ボタンｂ１とを含む各種の表示要素が表示される。なお、ここではＧＵＩ（Graphical User Interface）を実現するため表示部２３の表示画面に表示されるとともに、必要に応じてユーザーによりタッチ操作される文字や絵柄等からなる各種の表示要素を「ボタン」と呼ぶ。
【００２８】
そして、係るメイン画面Ｇ１の表示に際して制御部２５は、記憶部２６に保存されている複数の書籍ファイルから１ページ目のページ画像をそれぞれ取得するとともに、それらを縮小した画像を各書籍ファイルを示す代表画像として用い、各々の代表画像１０１，１０２，１０３，・・・１０９を一般領域Ｇｂに一覧表示する。つまり記憶部２６に保存されている複数の書籍ファイルを一覧表示する。なお、以下の説明においては各々の代表画像（縮小画像）を便宜的に書籍ファイルと呼ぶこととする。
【００２９】
また、メイン画面Ｇ１の表示に際して制御部２５は、各々の書籍ファイル１０１，１０２，１０３，・・・１０９の下辺側に書籍ファイル名（図で「ｔｉｔｌｅ１」〜「ｔｉｔｌｅ９」）も表示する。
【００３０】
なお、図５は、記憶部２６に保存されている書籍ファイル、つまり管理対象となる書籍ファイルが９つである場合の一例を示した図である。
【００３１】
ここで、図３には示さないが、管理対象となる書籍ファイルが９つ以上であって、全ての書籍ファイル（代表画像）が一括して表示できない場合、制御部２５は、ユーザーによる表示画面に対するスクロール操作に応じて画面（但し、前記一般領域Ｇｂのみ）をスクロールさせることによって残りの書籍ファイルの確認を可能とする。
【００３２】
なお、本実施形態とは異なり、全ての書籍ファイル（代表画像）が一括して表示できない場合、複数の書籍ファイル（代表画像）を異なる複数の画面に分けて表示する、すなわちユーザーによる表示画面の切替操作に応じて表示画面を切り替えることにより残りの書籍ファイルの確認を可能としてもよい。
【００３３】
次に、制御部２５は、メイン画面Ｇ１を表示している間に、編集ボタンｂ１のタッチ操作によってユーザーから編集指示があると（ステップＳ２：ＹＥＳ）、表示部２３の表示画面に図６に示した編集作業画面Ｇ２を表示する（ステップＳ３）。
【００３４】
この編集作業画面Ｇ２は、機能表示領域Ｇａに、現在の状態動作状態を示すキャプションｃ３（図で「ギャラリー編集」）を表示し、一般領域Ｇｂに、複数の書籍ファイル１０１，１０２，１０３，・・・１０９に加え、各書籍ファイルに対するユーザーによる選択の有無を個別に示すチェックボックス２０１、結合ボタンｂ２、及び削除ボタンｂ３を表示した画面である。
【００３５】
制御部２５は、編集作業画面Ｇ２を表示した後、チェックボックス２０１のタッチ操作によってユーザーによりいずれかの書籍ファイルが選択されたか否かを逐次確認し、いずれかの書籍ファイルが選択されると（ステップＳ４：ＹＥＳ）、以下の処理を行う。
【００３６】
まず、制御部２５は、ユーザーにより選択された書籍ファイルが既に選択中であるか否かを確認する（ステップＳ５）。既に選択中でなければ（ステップＳ５：ＮＯ）、制御部２５は、ユーザーにより選択された書籍ファイルのチェックボックス２０１の状態をオン状態に変更し、その書籍ファイルが処理対象として選択中であることを明示する（ステップＳ６）。次に、制御部２５は、選択された書籍ファイル（処理対象）に対するユーザーによる選択順を、後述する選択順オブジェクトを用いて個別に表示する（ステップＳ７）。
【００３７】
以後、編集作業画面Ｇ２を表示している間、制御部２５は、ユーザーによる削除指示がなく（ステップＳ１３：ＮＯ、図４）、かつ結合指示もなければ（ステップＳ１６：ＮＯ、図４）、ユーザーによって新たな書籍ファイルが選択される毎に、つまり既に選択中でない書籍ファイルが選択される毎に上記ステップＳ６、ステップＳ７の処理を繰り返し実行する。
【００３８】
図７は、ステップＳ６、ステップＳ７の処理が複数回繰り返された後、すなわち複数の書籍ファイルが処理対象として選択された後の編集作業画面Ｇ２の状態をしたものであり、ユーザーにより４つの書籍ファイル１０１，１０２，１０３，１０７が順番に選択された場合の例を示した図である。
【００３９】
図７に示したように、各書籍ファイル１０１，１０２，１０３，１０７の選択順を示す選択順オブジェクト３０１は、例えば、特定の色に塗りつぶした丸付き数字からなる「１」〜「４」によって選択順を示すものである。この場合、選択順オブジェクト３０１は、各書籍ファイル１０１，１０２，１０３，１０７の中央に表示され、数字以外を半透明として重畳表示されている（例えばＯＳＤ（On Screen Display）による表示）。
【００４０】
一方、ユーザーによりいずれかの書籍ファイルが選択されたとき、その書籍ファイルが既に選択中であった場合、すなわち既に選択中の書籍ファイルが再選択された場合（ステップＳ５：ＹＥＳ）、制御部２５は以下の処理を行う。
【００４１】
まず、制御部２５は、ユーザーによって再選択された書籍ファイルのチェックボックス２０１をオン状態からオフ状態に戻し、その書籍ファイルの選択状態を解除する（ステップＳ８）。次に、制御部２５は、再選択された（選択状態を解除した）書籍ファイルの選択順を消去する（ステップＳ９）。すなわち当該書籍ファイルに重ねて表示している選択順オブジェクト３０１の表示を中止する。
【００４２】
さらに、制御部２５は、処理対象として選択中の他の書籍ファイルについて、表示中の選択順（選択順オブジェクト３０１）の更新が必要であるか否かを確認する（ステップＳ１０）。具体的には、選択状態を解除した書籍ファイルが処理対象として最後に選択されていた書籍ファイルであるか否かを確認する。
【００４３】
ここで、選択状態を解除した書籍ファイルが処理対象として最後に選択されていたもので、選択順の更新が必要なければ（ステップＳ１０：ＮＯ）、制御部２５は、その時点で選択中の書籍ファイルがあるか否かを確認する（ステップＳ１２）。
【００４４】
逆に、選択状態を解除した書籍ファイルが処理対象として最後に選択されていたものでなく、選択順の更新が必要であれば（ステップＳ１０：ＹＥＳ）、制御部２５は、処理対象として選択中の他の書籍ファイルの選択順を更新する（ステップＳ１１）。すなわち選択状態を解除した書籍ファイルよりも選択順が後の書籍ファイルの選択順を１つずつ繰り上げ、それら書籍ファイルに重畳表示している選択順オブジェクト３０１を新たな選択順を示すものに更新する。
【００４５】
次に、制御部２５は、その時点で選択中の書籍ファイルがあるか否かを確認する（ステップＳ１２）。
【００４６】
ここで、選択中の書籍ファイルがない場合（ステップＳ１２：ＮＯ）、制御部２５は、ステップＳ４の処理に戻り、引き続きユーザーによる書籍ファイルの選択操作の有無を確認する処理を繰り返す。また、書籍ファイルの再選択後にステップ８乃至１１の処理を行っても、他に選択中の書籍ファイルが１又は複数ある場合（ステップＳ１２：ＹＥＳ）、図４において制御部２５は、削除ボタンｂ３のタッチ操作によりユーザーから削除指示があるか否かを確認する（ステップＳ１３）。
【００４７】
ユーザーから削除指示があった場合（ステップＳ１３：ＹＥＳ）、制御部２５は、その時点で選択中の１又は複数の書籍ファイルを記憶部２６から削除した後（ステップＳ１４）、前述したメイン画面Ｇ１を表示する（ステップＳ１９）。これにより１回の編集作業を終了する。
【００４８】
一方、ユーザーから削除指示がない場合（ステップＳ１３：ＮＯ）、制御部２５は、まず、選択中の書籍ファイルが複数であるか否かを確認し、複数の書籍ファイルを選択中でなければ（ステップＳ１５：ＮＯ）、直ちにステップＳ４の処理に戻り以降の処理を繰り返す。また、複数の書籍ファイルを選択中であれば（ステップＳ１５：ＹＥＳ）、制御部２５は、前述した結合ボタンｂ２のタッチ操作によってユーザーから結合指示があるか否かを更に確認する（ステップＳ１６）。
【００４９】
制御部２５は、ユーザーから結合指示がなければ（ステップＳ１６：ＮＯ）、直ちにステップＳ４の処理に戻り前述した処理を繰り返し、ユーザーから結合指示があれば（ステップＳ１６：ＹＥＳ）、処理対象として選択中の全ての書籍ファイルを結合する（ステップＳ１７）。
【００５０】
すなわち、制御部２５は、処理対象として選択中の全ての書籍ファイルを選択順に従い連結して新たな書籍ファイルを生成する。具体的には、選択順が１番目の書籍ファイルの最終ページの情報の後に、選択順が２番目の書籍ファイルの先頭ページの情報が続き、さらにその書籍ファイルの最終ページの情報の後に、選択順が３番目の書籍ファイルの先頭ページの情報が続くといった一連のページの情報からなる新たな書籍ファイル、つまり一冊分の書籍ファイルを新たに生成する。
【００５１】
そして、制御部２５は、生成した新たな書籍ファイルを記憶部２６に保存する（ステップＳ１８）。つまり生成した書籍ファイルを新たな管理対象として保存する。また、その際、制御部２５は生成元（処理対象）の複数の書籍ファイルを消去する。
【００５２】
しかる後、制御部２５はメイン画面Ｇ１を表示部２３の表示画面に表示する（ステップＳ１９）。すなわち結合対象となった複数の書籍ファイルに代わり新たな管理対象として保存された書籍ファイルを含む複数の書籍ファイルを一覧表示した新たなメイン画面Ｇ１を表示する。これにより１回の編集作業を終了する。
【００５３】
図８は、ステップＳ１９の処理で表示される新たなメイン画面Ｇ１を示した図であって、図７に示した４つの書籍ファイル１０１，１０２，１０３，１０７が結合されることにより新たな書籍ファイル１１０が生成された場合を示したものである。
【００５４】
以上のようにタブレット２において、任意の書籍等を電子データ化し書籍ファイルとして保存するだけでなく、保存した複数の書籍ファイルを結合し単一の書籍ファイルとすることができる。
【００５５】
その際、ユーザーは複数の書籍ファイルを単に結合したい順に選択すればよく、結合作業が極めて容易である。また、書籍ファイルの選択時には、各々の書籍ファイルの選択順つまり結合順を逐次確認できるため、結合順に誤りが生じることを未然に防ぐことができる。よって、ユーザーにおいては、保存した書籍ファイルが多数となっても、それらの管理を容易に行うことができる。例えば月刊誌や週刊誌等の定期刊行物や、それらの特集記事のページ（１又は複数）を書籍ファイルとして保存しているときには、複数冊分の定期刊行物や、特集記事を容易に単一の書籍ファイルとして保存し直すことができる。
【００５６】
なお、ユーザーに選択された複数の書籍ファイルを結合して生成した新たな書籍ファイルを保存する際、生成元の複数の書籍ファイルを自動的に消去したが、それらを消去することなく残すようにしてもよい。
【００５７】
また、ユーザーが選択された複数の書籍ファイルを結合を指示した際には、それらを直ちに結合するようにしたが、以下のようにしてもよい。例えばユーザーから結合指示があったときには、表示画面上に結合の可否を問い合わせるとともに、結合の実行、又はキャンセルを指示するボタンを含む最終確認画面を表示し、実行が指示された場合にのみ結合処理を行い、キャンセルが指示された場合には、再び任意の書籍ファイルの選択、選択中の書籍ファイルの再選択（選択解除）を可能としてもよい。
【００５８】
また、編集作業画面Ｇ２に選択解除ボタンを設け、選択解除ボタンがタッチ操作されたら、その時点で選択中の全ての書籍ファイルを非選択状態にする、すなわち全てのチェックボックス２０１を初期化するとともに、全ての選択順オブジェクト３０１を消去するようにしてもよい。
【００５９】
また、本実施形態において、管理対象となる書籍ファイルが、書籍等のページ（１部又は全部ページ）を撮影した撮影画像データが保存されたファイルである場合について説明したが、管理対象となる書籍ファイルは、以下のようなファイルであっても構わない。例えば書籍等のページを撮影した撮影画像から公知の文字認識技術を用いて抽出した文字データが保存されたファイルであっても構わない。さらに、管理対象となるファイルは、ここで説明した書籍ファイルに限らず文書ファイル等の他のファイルであっても構わない。
【００６０】
また、本実施形態においてタブレット２に適用した場合について説明したが、これに限らず、一般的なパーソナルコンピュータ等の他の情報機器においても同様の処理を可能とするプログラムを供給することにより実現することができる。さらに、その供給方法は任意であり、例えばインターネット上のＷｅｂページからプログラムをパーソナルコンピュータ等に供給してもよい。
【００６１】
また、プログラムをインターネット上のサーバーに格納しておき、サーバーにおいて図３、及び図４に示した処理を実行させるようにしてもよい。その場合、メイン画面Ｇ１や編集作業画面Ｇ２の表示、及びそれらの画面に対するユーザーの操作を、サーバーと協働してパーソナルコンピュータ等において行う。但し、新たに生成する文書ファイル等の保存はサーバー、又はパーソナルコンピュータ等のいずれであっても構わない。
【００６２】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
［請求項１］
管理対象である複数ファイルを表示画面に一覧表示する第１の表示制御手段と、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御手段と、
ユーザーによって処理対象として選択された複数のファイルを、各々のファイルにおける前記ユーザーによる選択順に従い連結することにより新たなファイルを生成する生成手段と、
を備えたことを特徴とするファイル管理装置。
［請求項２］
前記複数ファイルの各々は、複数ページからなる情報がページ毎に電子データ化されたファイルであることを特徴とする請求項１記載のファイル管理装置。
［請求項３］
前記表示画面に一覧表示中の複数ファイルの各々における、ユーザーによる前記処理対象としての選択の有無を、各ファイルの配置を維持したまま前記表示画面に表示する第３の表示制御手段を更に備えたことを特徴とする請求項１又は２に記載のファイル管理装置。
［請求項４］
前記第２の表示制御手段は、ユーザーによって前記表示画面に前記選択順を表示している選択中のいずれかのファイルに対する選択解除指示がある毎に、選択解除指示があったファイルの前記選択順の表示を中止し、かつ選択中の他のファイルに対応して表示中の前記選択順を更新することを特徴とする請求項１乃至３のいずれか１項に記載のファイル管理装置。
［請求項５］
前記第１の表示制御手段は、前記複数ファイルを各ファイルの内容を示す画像によって前記表示画面に一覧表示することを特徴とする請求項１乃至４のいずれか１項に記載のファイル管理装置。
［請求項６］
前記第２の表示制御手段は、前記選択順を前記画像に重ねて表示することを特徴とする請求項５記載のファイル管理装置。
［請求項７］
前記生成手段は、前記新たなファイルとして、新たに管理対象となるファイルを生成することを特徴とする請求項１乃至６のいずれか１項に記載のファイル管理装置。
［請求項８］
タッチパネルとしての機能を備えた前記表示画面を有する表示手段を更に備え、
前記ユーザーによる選択指示は前記表示画面において行われる
ことを特徴とする請求項１乃至７のいずれか１項に記載のファイル管理装置。
［請求項９］
管理対象である複数ファイルを表示画面に一覧表示する第１の表示制御ステップと、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御ステップと、
ユーザーによって処理対象として選択された複数のファイルを、各々のファイルにおける前記ユーザーによる選択順に従い連結することにより新たなファイルを生成する生成ステップと、
を含むことを特徴とするファイル管理方法。
［請求項１０］
ファイル管理装置が有するコンピュータを、
管理対象である複数ファイルを表示画面に一覧表示する第１の表示制御手段、
ユーザーによって前記複数ファイルのいずれかが処理対象として選択される毎に、選択されたファイルにおけるユーザーによる選択順を、そのファイルに対応する前記表示画面の特定位置に個別に表示する第２の表示制御手段、
ユーザーによって処理対象として選択された複数のファイルを、各々のファイルにおける前記ユーザーによる選択順に従い連結することにより新たなファイルを生成する生成手段、
として機能させるためのプログラム。
【符号の説明】
【００６３】
１    書画カメラシステム
２    タブレット
２１    撮像部
２２    操作部
２３    表示部
２５    制御部
２６    記憶部
１０１〜１１０    書籍ファイル（代表画像）
２０１    チェックボックス
３０１    選択順オブジェクト
Ｂ    書籍等
Ｇ１    メイン画面
Ｇ２    編集作業画面
Ｇａ    機能表示領域
Ｇｂ    一般領域
【図１】
2017037449.tif 000003
【図２】
2017037449.tif 000004
【図３】
2017037449.tif 000005
【図４】
2017037449.tif 000006
【図５】
2017037449.tif 000007
【図６】
2017037449.tif 000008
【図７】
2017037449.tif 000009
【図８】
2017037449.tif 000010